(57)【要約】【課題】  測定精度が向上出来る超音波流量計を実現する。【解決手段】  測定管内を流れる測定流体の流量を超音波を利用して計測する超音波流量計において、  前記測定管に設けられ前記測定管の管厚を測定する管厚測定超音波振動子を具備したことを特徴とする超音波流量計である。【選択図】                    図１
2005091332.tif 000002
【特許請求の範囲】
【請求項１】
測定管内を流れる測定流体の流量を超音波を利用して計測する超音波流量計において、
前記測定管に設けられ前記測定管の管厚を測定する管厚測定超音波振動子
を具備したことを特徴とする超音波流量計。
【請求項２】
前記管厚測定超音波振動子は、超音波の送受信面が前記測定管の半径方向に直交して設けられたこと
を特徴とする請求項１記載の超音波流量計。
【請求項３】
前記管厚測定超音波振動子は、前記測定管の周面に沿って所定個配置されたこと
を特徴とする請求項１又は請求項２記載の超音波流量計。
【請求項４】
前記管厚測定超音波振動子は、前記測定管の管軸方向に所定個配置されたこと
を特徴とする請求項１乃至請求項３の何れかに記載の超音波流量計。
【請求項５】
前記管厚測定超音波振動子の管厚の測定信号に基づき流量補正を行う流量補正回路
を具備したことを特徴とする請求項１乃至請求項４の何れかに記載の超音波流量計。
【請求項６】
前記管厚測定超音波振動子の管厚測定信号に基づき測定管の詰まりを検知する詰まり状態検知回路
を具備したことを特徴とする請求項１乃至請求項５の何れかに記載の超音波流量計。
【請求項７】
前記管厚測定超音波振動子の管厚測定信号に基づき管厚が所定厚さに達した時に警報を発する警報発生回路
を具備したことを特徴とする請求項１乃至請求項６の何れかに記載の超音波流量計。
【請求項８】
測定管内を流れる測定流体の流量を超音波を利用して計測する超音波流量計において、
前記測定管の管軸方向に所定間隔を保って配置された複数の送受信超音波振動子対
を具備したことを特徴とする超音波流量計。
【請求項９】
前記複数の送受信超音波振動子対は、周波数特性がそれぞれ異なること
を特徴とする請求項８記載の超音波流量計。
【請求項１０】
前記送受信超音波振動子対は、前記測定管の管軸方向に順次ずらして配置されたこと
を特徴とする請求項９記載の超音波流量計。
【請求項１１】
前記送受信超音波振動子対は、前記測定管の周面に沿って所定個配置されたこと
を特徴とする請求項８乃至請求項１０の何れかに記載の超音波流量計。
【請求項１２】
前記それぞれの送受信超音波振動子対の信号強度あるいは信号波形から最適の送受信超音波振動子対を選択する振動子対切替回路
を具備したことを特徴とする請求項８乃至請求項１１の何れかに記載の超音波流量計。
【請求項１３】
前記それぞれの送受信超音波振動子対の信号強度あるいは信号波形から前記測定管の詰まり状態を検知する詰まり状態検知回路
を具備したことを特徴とする請求項８乃至請求項１２の何れかに記載の超音波流量計。
【請求項１４】
前記それぞれの送受信超音波振動子対の信号強度あるいは信号波形から前記測定流体の異常状態を検知する異常状態検知回路
を具備したことを特徴とする請求項８乃至請求項１３の何れかに記載の超音波流量計。
【請求項１５】
前記それぞれの送受信超音波振動子対の信号強度あるいは信号波形から前記測定管あるいは前記測定流体の異常状態の警報を発する警報発生回路
を具備したことを特徴とする請求項８乃至請求項１４の何れかに記載の超音波流量計。
【発明の詳細な説明】
【技術分野】
【０００１】
本発明は、測定精度が向上出来る超音波流量計に関するものである。
【背景技術】
【０００２】
超音波流量計に関連する先行技術文献としては次のようなものがある。
【非特許文献１】（有）工業技術社発行、「計装エンジニアのための流量計測ＡｔｏＺ］、平成          ７年１１月１日初版、Ｐ１２６〜Ｐ１２７，
【０００３】
図９はこのような従来の超音波流量計の一例を示す要部構成説明図である。
図において、測定流体ＦＬが流れる測定管１の上流と下流に各１個の超音波送受信振動子２が設けられている。
変換器３は超音波送受信振動子２に接続されている。
【０００４】
以上の構成において、変換器３より，送信信号を上流（または下流）の超音波振動子２に送り、超音波を発信させる。
発信した超音波は，測定管１内の測定流体ＦＬを通り、下流（または上流）の超音波振動子２に受信され，受信信号として変換器３に送られる．
【０００５】
変換器３では，上流から下流へ，また，下流から上流へ送信した超音波信号の到達時間を測定し，測定管１内の流速を計算する。
測定した流速から，測定管１の外径と測定管１の厚さを用いて，測定管１の流路の断面積を計算し，断面積と流速から流量を求める。
なお、点線は、超音波伝播経路ａを示す。
【発明の開示】
【発明が解決しようとする課題】
【０００６】
超音波流量計で流量を測定するためには，配管の厚さの測定が必要である。
従来は，配管厚さ測定用の検出器を用いて配管の厚さを測定している。
そのため，流量測定用の変換器と検出器とは別に配管厚さ測定用の変換器と検出器とが必要である。
また，配管の厚さを測定した値は、検出器を設置する際に測定した値であり、設置後は固定した値である。
【０００７】
そのため，測定管１の内部に付着物が付着した場合や測定管１が測定流体ＦＬ内部の混合物によって削られた場合など，測定管１の厚みが変化すると、流量測定に誤差が発生する。
また，上記のような測定管１内部の変化によって，管内の流速分布が変化することがあり、そのときに流量測定の誤差になる。
【０００８】
次に、クランプオンの超音波流量計では、配管や流体を透過して伝わる超音波の強度と質は、
１）配管に関連する超音波伝播要因：配管の材質・厚み・状態・形状，ライニングの材質・厚み・状態・形状。
２）流体に関連する超音波伝播要因：流体の種類，混入物の量、気泡の量。
３）超音波に関する要因：超音波の周波数。
によって変化する。
【０００９】
しかも、その度合いは個々の設置環境でも異なるため、最適な周波数は、机上で決めることは困難である。
従来は，事前に超音波の伝播特性を実測で確認して、最適な検出器の周波数を決定し，周波数の異なる検出器を使い分けて測定する必要があった。
【００１０】
また、従来の超音波流量計検出器では，周波数特性があるので，超音波の送受信周波数によって利用する検出器を変更する必要がある。
即ち、ひとつの検出器について、１種類の送受信周波数しか発信できないので，適していると推定される送受信周波数の種類だけ検出器を用意する必要があった。
【００１１】
本発明の目的は、上記の課題を解決するもので、測定精度が向上出来る超音波流量計を提供することを目的とする。
【課題を解決するための手段】
【００１２】
このような課題を達成するために、本発明では、請求項１の超音波流量計においては、
測定管内を流れる測定流体の流量を超音波を利用して計測する超音波流量計において、
前記測定管に設けられ前記測定管の管厚を測定する管厚測定超音波振動子を具備したことを特徴とする。
【００１３】
本発明の請求項２においては、請求項１記載の超音波流量計において、
前記管厚測定超音波振動子は、超音波の送受信面が前記測定管の半径方向に直交して設けられたことを特徴とする。
【００１４】
本発明の請求項３においては、請求項１乃至請求項３の何れかに記載の超音波流量計において、
前記管厚測定超音波振動子は、前記測定管の周面に沿って所定個配置されたことを特徴とする。
【００１５】
本発明の請求項４においては、請求項１乃至請求項３の何れかに記載の超音波流量計において、
前記管厚測定超音波振動子は、前記測定管の管軸方向に所定個配置されたことを特徴とする。
【００１６】
本発明の請求項５においては、請求項１乃至請求項４の何れかに記載の超音波流量計において、
前記管厚測定超音波振動子の管厚の測定信号に基づき流量補正を行う流量補正回路を具備したことを特徴とする。
【００１７】
本発明の請求項６においては、請求項１乃至請求項５の何れかに記載の超音波流量計において、
前記管厚測定超音波振動子の管厚測定信号に基づき測定管の詰まりを検知する詰まり状態検知回路を具備したことを特徴とする。
【００１８】
本発明の請求項７においては、請求項１乃至請求項６の何れかに記載の超音波流量計において、
前記管厚測定超音波振動子の管厚測定信号に基づき管厚が所定厚さに達した時に警報を発する警報発生回路を具備したことを特徴とする。
【００１９】
本発明の請求項８記載の超音波流量計においては、
測定管内を流れる測定流体の流量を超音波を利用して計測する超音波流量計において、
前記測定管の管軸方向に所定間隔を保って配置された複数の送受信超音波振動子対を具備したことを特徴とする。
【００２０】
本発明の請求項９においては、請求項８に記載の超音波流量計において、
前記複数の送受信超音波振動子対は、周波数特性がそれぞれ異なることを特徴とする。
【００２１】
本発明の請求項１０においては、請求項９記載の超音波流量計において、
前記送受信超音波振動子対は、前記測定管の管軸方向に順次ずらして配置されたことを特徴とする。
【００２２】
本発明の請求項１１においては、請求項８乃至請求項１０の何れかに記載の超音波流量計において、
前記送受信超音波振動子対は、前記測定管の周面に沿って所定個配置されたことを特徴とする。
【００２３】
本発明の請求項１２においては、請求項８乃至請求項１１の何れかに記載の超音波流量計において、
前記それぞれの送受信超音波振動子対の信号強度あるいは信号波形から最適の送受信超音波振動子対を選択する振動子対切替回路を具備したことを特徴とする。
【００２４】
本発明の請求項１３においては、請求項８乃至請求項１２の何れかに記載の超音波流量計において、
前記それぞれの送受信超音波振動子対の信号強度あるいは信号波形から前記測定管の詰まり状態を検知する詰まり状態検知回路具備したことを特徴とする。
【００２５】
本発明の請求項１４においては、請求項８乃至請求項１３の何れかに記載の超音波流量計において、
前記それぞれの送受信超音波振動子対の信号強度あるいは信号波形から前記測定流体の異常状態を検知する異常状態検知回路を具備したことを特徴とする。
【００２６】
本発明の請求項１５においては、請求項８乃至請求項１４の何れかに記載の超音波流量計において、
前記それぞれの送受信超音波振動子対の信号強度あるいは信号波形から前記測定管あるいは前記測定流体の異常状態の警報を発する警報発生回路を具備したことを特徴とする。
【発明の効果】
【００２７】
本発明の請求項１によれば、次のような効果がある。
流量測定用の変換器のみで，厚さ測定と流量測定が可能な超音波流量計が得られる。
流量測定中に測定管の厚み測定が可能なので，変換器を設置後に厚みが変化した際に厚みの補正が可能な超音波流量計が得られる。
厚み測定の状態をモニターし，測定管の詰まり等の状態の変化の診断が可能な超音波流量計が得られる。
【００２８】
本発明の請求項２によれば、次のような効果がある。
超音波の送受信面が、測定管の半径方向に直交して設けられたので、超音波の送受信の効率が良い超音波流量計が得られる。
【００２９】
本発明の請求項３によれば、次のような効果がある。
管厚測定超音波振動子は、測定管の周面に沿って所定個配置されたので、測定管の断面積の測定がより正確に測定出来る超音波流量計が得られる。
【００３０】
本発明の請求項４によれば、次のような効果がある。
管厚測定超音波振動子は、測定管の管軸方向に所定個配置されたので、管軸方向の断面積の変化をより正確に測定出来る超音波流量計が得られる。
【００３１】
本発明の請求項５によれば、次のような効果がある。
管厚測定超音波振動子の管厚の測定信号に基づき流量補正を行う流量補正回路が設けられたので、流量補正が正確に出来て、精度が向上された超音波流量計が得られる。
【００３２】
本発明の請求項６によれば、次のような効果がある。
管厚測定超音波振動子の管厚測定信号に基づき、測定管の詰まり状態を検知する詰まり状態検知回路が設けられたので、測定管の詰まり状態を検知出来る超音波流量計が得られる。
【００３３】
本発明の請求項７によれば、次のような効果がある。
管厚測定超音波振動子の管厚測定信号に基づき、管厚が所定厚さに達した時に警報を発する警報発生回路が設けられたので、測定誤差が大きな測定を警報により回避出来る超音波流量計が得られる。
【００３４】
本発明の請求項８によれば、次のような効果がある。
測定管内を流れる測定流体の流量を超音波を利用して計測する超音波流量計において、
測定管の管軸方向に所定間隔を保って配置された複数の送受信超音波振動子対が設けられたので、例えば、一組の検出器で複数の周波数に対応出来るようになり，検出器を変えなくても超音波の伝播特性がよい超音波周波数での測定が出来る超音波流量計が得られる。
【００３５】
事前の測定流体の伝播特性の確認が不要になる超音波流量計が得られる。
最適でない超音波周波数の検出器を使用しため、超音波が透過せず測定出来ない等の不具合が無くなる超音波流量計が得られる。
【００３６】
本発明の請求項９によれば、次のような効果がある。
複数の送受信超音波振動子対は、周波数特性がそれぞれ異なるので、一組の検出器で複数の周波数に対応出来るようになり，検出器を変えなくても超音波の伝播特性がよい超音波周波数での測定が出来る超音波流量計が得られる。
【００３７】
本発明の請求項１０によれば、次のような効果がある。
送受信超音波振動子対は、測定管の管軸方向に順次ずらして配置されたので、管軸方向に同一条件で測定出来る超音波流量計が得られる。
【００３８】
本発明の請求項１１によれば、次のような効果がある。
送受信超音波振動子対は、測定管の周面に沿って所定個配置されたので、測定管の管軸方向を短く出来、コンパクトな超音波流量計が得られる。
【００３９】
本発明の請求項１２によれば、次のような効果がある。
それぞれの送受信超音波振動子対の信号強度あるいは信号波形から、最適の送受信超音波振動子対を選択する送受信超音波振動子対切替回路が設けられたので、測定精度が向上された超音波流量計が得られる。
【００４０】
本発明の請求項１３によれば、次のような効果がある。
それぞれの送受信超音波振動子対の信号強度あるいは信号波形から、測定管の詰まり状態を検知する詰まり状態検知回路が設けられたので、測定管の詰まり状態を検知出来る超音波流量計が得られる。
【００４１】
本発明の請求項１４によれば、次のような効果がある。
それぞれの送受信超音波振動子対の信号強度あるいは信号波形から、測定流体の異常状態を検知する異常状態検知回路が設けられたので、測定流体の異常状態を検知出来る超音波流量計が得られる。
【００４２】
本発明の請求項１５によれば、次のような効果がある。
それぞれの送受信超音波振動子対の信号強度あるいは信号波形から、測定管あるいは測定流体の異常状態の警報を発する警報発生回路が設けられたので、測定誤差が大きな測定を警報により回避出来る超音波流量計が得られる。
【発明を実施するための最良の形態】
【００４３】
以下本発明を図面を用いて詳細に説明する。
図１は本発明の一実施例の要部構成説明図である。
図において、図７と同一記号の構成は同一機能を表す。
以下、図７と相違部分のみ説明する。
【００４４】
図において、測定流体ＦＬが流れる測定管１の上流と下流に１対の流量測定用の超音波送受信振動子１１が設けられている。
変換器３は流量測定用の超音波送受信振動子１１に接続されている。
【００４５】
管厚測定超音波振動子１２は、測定管１に設けられ、測定管１の管厚を測定する。
この場合は、管厚測定超音波振動子１２は、超音波の送受信面が、測定管１の半径方向に直交して設けられている。
管厚測定超音波振動子１２は、測定管１の管軸方向に所定個配置されている。
この場合は、２個配置されている。なお、１個でも良いことは勿論である。
【００４６】
図２は図１の電気回路の要部ブロック図である。
流量補正回路２１は、管厚測定超音波振動子１２の管厚の測定信号に基づき流量補正を行う。
詰まり状態検知回路２２は、管厚測定超音波振動子１２の管厚測定信号に基づき測定管の詰まりを検知する。
【００４７】
警報発生回路２３は、管厚測定超音波振動子１２の管厚測定信号に基づき管厚が所定厚さに達した時に警報を発する。
なお、流量測定回路２４は、流量測定用振動子１１の測定信号により、流量測定を行う。
管厚測定回路２５は、厚さ測定用振動子１２の測定信号により、管厚測定を行う。
【００４８】
以上の構成において、変換器３から超音波の送信信号を厚さ測定用の超音波振動子１２に送り、超音波信号を発信させる。
発信した超音波信号は，測定管１の内壁部分から反射され、超音波振動子１２に再度入力し、受信信号に変換され変換器３に送られる。
変換器３では、超音波の伝播時間を演算し、その伝播時間から測定管１の厚さを計算する。
【００４９】
この結果、
流量測定用の変換器３のみで，厚さ測定と流量測定が可能な超音波流量計が得られる。
流量測定中に測定管１の厚み測定が可能なので，変換器３を設置後に厚みが変化した際に厚みの補正が可能な超音波流量計が得られる。
厚み測定の状態をモニターし，測定管１の詰まり等の状態の変化の診断が可能な超音波流量計が得られる。
【００５０】
超音波の送受信面が、測定管１の半径方向に直交して設けられたので、超音波の送受信の効率が良い超音波流量計が得られる。
管厚測定超音波振動子１２a，１２b，‥‥‥は、測定管１の管軸方向に所定個配置されたので、管軸方向の断面積の変化をより正確に測定出来る超音波流量計が得られる。
【００５１】
管厚測定超音波振動子１２a，１２b，‥‥の管厚の測定信号に基づき、流量補正を行う流量補正回路２１が設けられたので、流量補正が正確に出来て、精度が向上された超音波流量計が得られる。
【００５２】
管厚測定超音波振動子１２a，１２b，‥‥の管厚測定信号に基づき、測定管１の詰まり状態を検知する詰まり状態検知回路が設けられたので、測定管１の詰まり状態を検知出来る超音波流量計が得られる。
【００５３】
管厚測定超音波振動子１２a，１２b，‥‥の管厚測定信号に基づき、管厚が所定厚さに達した時に警報を発する警報発生回路２３が設けられたので、測定誤差が大きな測定を警報により回避出来る超音波流量計が得られる。
【００５４】
図３は、本発明の他の実施例の要部構成説明である。
本実施例においては、管厚測定超音波振動子１２ａ，１２ｂ，１２ｃ……は、測定管１の周面に沿って所定個配置されている。
この場合は、３個は配置されている。
【００５５】
この結果、管厚測定超音波振動子１２a，１２b，‥‥‥は、測定管１の周面に沿って所定個配置されたので、測定管１の断面積の測定が、より正確に測定出来る超音波流量計が得られる。
【００５６】
図４は、本発明の他の実施例の要部構成説明である。
本実施例においては、複数の送受信超音波振動子対３１ａ，３１ｂ，……が、測定管１の管軸方向に、所定間隔を保って配置されている。この場合は、２対が使用されている。
【００５７】
また、この場合は、複数の送受信超音波振動子対３１ａ，３１ｂ，……は、周波数特性がそれぞれ異なっている。
送受信超音波振動子対３１ａ，３１ｂ，……は、測定管１の管軸方向に順次ずらして配置されている。
【００５８】
図５は図４の電気回路の要部ブロック図である。
送受信周波数切替器４１は、送受信超音波振動子対３１ａ，３１ｂ，……への送受信周波数を切替る。
送受信切り替え器４２は、送受信超音波振動子対３１ａ，３１ｂ，……の送受信方向を切り替える。
【００５９】
演算器４３は、送受信超音波振動子対３１ａ，３１ｂ，……の測定結果を演算し，測定流体ＦＬの流量を演算する。
詰まり検知回路４４は、送受信超音波振動子対３１ａ，３１ｂ，……の信号強度あるいは信号波形から、測定管１の詰まり状態を検知する。
【００６０】
異常状態検知回路４５は、送受信超音波振動子対３１ａ，３１ｂ，……の信号強度あるいは信号波形から、測定流体ＦＬの異常状態を検知する。
警報発生回路４６は、送受信超音波振動子対３１ａ，３１ｂ，……の信号強度あるいは信号波形から、測定管１あるいは測定流体ＦＬの異常状態の警報を発する。
【００６１】
なお、送受信周波数ｆ１用，ｆ２用の２種類の超音波振動子対３１ａ，３１ｂ，……が、測定管１に設置された場合に、超音波の伝播経路ａ，ｂの長さが等しくなるように組み込まれている。
【００６２】
以上の構成において、演算器４３からの指令を受けて，切り替え回路４１によってｆ１用またはｆ２用超音波振動子対３１ａ，３１ｂを選択して、超音波振動子対３１ａ，３１ｂに送信信号を発信し，流れと同じ方向に周波数ｆ１またはｆ２の超音波を送信し，もう一方の超音波振動子対３１ａ，３１ｂで測定管と測定流体ＦＬの中を伝わってきた超音波信号を受信し、その伝播時間を測定する。
【００６３】
次に、送受信切り替え器４２で超音波振動子対３１ａ，３１ｂの送受信を切り替えて流れと逆の方向に超音波を発信し、その伝播時間を測定する（信号の処理方法については、図７従来例と同じ）。
【００６４】
なお、
１）起動時に送受信周波数ｆ１とｆ２で測定を行い，超音波の伝播の強度の測定や超音波信号の質の判定を行って，測定対象に対して送受信周波数を決める。
【００６５】
２）その後は、送受信周波数ｆ１またはｆ２のいずれかの超音波振動子対３１ａ，３１ｂで測定を行う．
【００６６】
３）信号の強度や質が劣化した場合には、再度、送受信周波数ｆ１とｆ２で測定を行い、超音波の伝播の強度の測定や超音波信号の質の判定を行って、測定対象に対して、最適なほうの送受信周波数を再度決める。
【００６７】
この結果
測定管１の管軸方向に所定間隔を保って配置された複数の超音波振動子対３１ａ，３１ｂｂが設けられたので、例えば、一組の検出器で、複数の周波数に対応出来るようになり，検出器を変えなくても超音波の伝播特性がよい超音波周波数での測定が出来る超音波流量計が得られる。
【００６８】
事前の測定流体の伝播特性の確認が不要になる超音波流量計が得られる。
最適でない超音波周波数の検出器を使用しため、超音波が透過せず測定出来ない等の不具合が無くなる超音波流量計が得られる。
【００６９】
複数の送受信超音波振動子対３１ａ，３１ｂは、周波数特性がそれぞれ異なるので、一組の検出器で複数の周波数に対応出来るようになり，検出器を変えなくても超音波の伝播特性がよい超音波周波数での測定が出来る超音波流量計が得られる。
送受信超音波振動子対３１ａ，３１ｂは、測定管１の管軸方向に順次ずらして配置されたので、管軸方向に同一条件で測定出来る超音波流量計が得られる。
【００７０】
それぞれの送受信超音波振動子対３１ａ，３１ｂの信号強度あるいは信号波形から、最適の送受信超音波振動子対３１ａ，３１ｂを選択する送受信超音波振動子対切替回路４１が設けられたので、測定精度が向上された超音波流量計が得られる。
【００７１】
それぞれの送受信超音波振動子対３１ａ，３１ｂの信号強度あるいは信号波形から、測定管１の詰まり状態を検知する詰まり状態検知回路４４が設けられたので、測定管１の詰まり状態を検知出来る超音波流量計が得られる。
【００７２】
それぞれの送受信超音波振動子対３１ａ，３１ｂの信号強度あるいは信号波形から、測定流体ＦＬの異常状態を検知する異常状態検知回路４５が設けられたので、測定流体ＦＬの異常状態を検知出来る超音波流量計が得られる。
【００７３】
それぞれの送受信超音波振動子対３１ａ，３１ｂの信号強度あるいは信号波形から、測定管１あるいは測定流体ＦＬの異常状態の警報を発する警報発生回路４６が設けられたので、測定誤差が大きな測定を警報により回避出来る超音波流量計が得られる。
【００７４】
図６は、本発明の他の実施例の要部構成説明である。
本実施例においては、３組の受信超音波振動子対３１ａ，３１ｂ，３２ｃが設けられたものである。
なお、図６では，一方の受信超音波振動子対３１ａ，３１ｂ，３２ｃのみが示されていて、他方の受信超音波振動子対３１ａ，３１ｂ，３２ｃは示されていない。
【００７５】
この結果、測定流体ＦＬの状態により，更に、適した超音波周波数を選択出来る超音波流量計が得られる。
【００７６】
図７は、本発明の他の実施例の要部構成説明である。
本実施例においては、送受信超音波振動子対５１ａ，５１ｂ……は、測定管１の周面に沿って所定個配置されている。この場合は、２対配置されている。
【００７７】
この結果、送受信超音波振動子対５１ａ，５１ｂ……は、測定管１の周面に沿って所定個配置されたので、測定管１の管軸方向を短く出来、コンパクトな超音波流量計が得られる。
【００７８】
図８は、本発明の他の実施例の要部構成説明である。
本実施例においては、検出器の取付方式としてＺ法を用いたものを示したものである。
なお、検出器の取付方式としてＮ法、Ｗ法を用いても良いことは勿論である。
【図面の簡単な説明】
【００７９】
【図１】本発明の一実施例の要部構成説明図である。
【図２】図１の回路図である。
【図３】本発明の他の実施例の要部構成である。
【図４】本発明の他の実施例の要部構成である。
【図５】図４の回路図である。
【図６】本発明の他の実施例の要部構成である。
【図７】本発明の他の実施例の要部構成である。
【図８】本発明の他の実施例の要部構成である。
【図９】従来の超音波流量計の一例を示す要部構成説明図である。
【符号の説明】
【００８０】
１      測定管
３      保護体
１１    流量測定用の超音波送受信振動子
１２    管厚測定超音波振動子
２１    流量補正回路
２２    詰まり状態検知回路
２３    警報発生回路
２４    流量測定回路
２５    管厚測定回路
３１    送受信超音波振動子対
４１    送受信周波数切替器
４２    送受信切り替え器
４３    演算器
４４    詰まり検知回路
４５    異常状態検知回路
５１    送受信超音波振動子対
ａ      超音波の伝播経路
ｂ      超音波の伝播経路
ｆ１    超音波の伝播経路
ｆ２    超音波の伝播経路
ＦＬ    測定流体
【図１】
2005091332.tif 000003
【図２】
2005091332.tif 000004
【図３】
2005091332.tif 000005
【図４】
2005091332.tif 000006
【図５】
2005091332.tif 000007
【図６】
2005091332.tif 000008
【図７】
2005091332.tif 000009
【図８】
2005091332.tif 000010
【図９】
2005091332.tif 000011